(57)【要約】【課題】印刷する設定（両面／片面）をした表紙と、その表紙に割り当てられたページ範囲と同じページ範囲を指定した例外ページ（または挿入ページ）を同時に設定しようとした場合に、設定と異なる印刷結果となることを防ぐ。【解決手段】情報処理装置であって、表紙、挿入ページ、例外ページを含む特殊ページの印刷設定をするページ設定手段２０１と、表紙の印刷設定における印刷面の設定に応じて、ジョブのページの割り当てをするジョブ割当手段２０２と、表紙の印刷設定と、他の特殊ページの印刷設定における、設定するページ範囲の重複を判断する重複判断手段２０４と、前記重複判断手段２０４が重複と判断したとき、設定するページ範囲が重複しないように、既存の特殊ページの印刷面の設定とページ範囲の設定を変更する設定変更手段２０６と、を有する。【選択図】図２６
2014153853.tif 000002
【特許請求の範囲】
【請求項１】
表紙、挿入ページ、例外ページを含む特殊ページの印刷設定をするページ設定手段と、
表紙の印刷設定における印刷面の設定に応じて、ジョブのページの割り当てをするジョブ割当手段と、
表紙の印刷設定と、他の特殊ページの印刷設定における、設定するページ範囲の重複を判断する重複判断手段と、
前記重複判断手段が重複と判断したとき、設定するページ範囲が重複しないように、既存の特殊ページの印刷面の設定とページ範囲の設定を変更する設定変更手段と、
を有する情報処理装置。
【請求項２】
請求項１に記載された情報処理装置において、
前記特殊ページについてデータ保存部で保持している内容をユーザに表示する表示部と、
特殊ページの重複に対し調整した内容に基づいて、前記表示部の表示を更新する表示更新手段と、
を有する情報処理装置。
【請求項３】
請求項１に記載された情報処理装置において、
前記ジョブ割当手段が、表紙の印刷面の設定に対してページの割り当てをする際に、ユーザに対し、印刷面の設定に応じて表紙に対してページが割り当てられる旨を通知するページ通知手段、
を有する情報処理装置。
【請求項４】
請求項１に記載された情報処理装置において、
前記重複判断手段が重複と判断したとき、ユーザに対し、ページ範囲が重複する旨を通知する重複通知手段、
を有する情報処理装置。
【請求項５】
請求項３又は４に記載された情報処理装置において、
前記重複判断手段が重複と判断したとき、
ユーザに対して、前に設定した特殊ページの設定変更を許可するかしないか選択を促す選択通知手段と、
ユーザが設定変更を許可しないとき、後からの特殊ページ追加をキャンセルし、もとから設定されている特殊ページの設定を有効にする設定変更禁止手段、
を有する情報処理装置。
【請求項６】
請求項１に記載された情報処理装置において、
前記重複判断手段が重複と判断したとき、表紙とその他の特殊ページのページ範囲が重複する際に、自動で設定を修正するかどうかを、ユーザに選択させる自動化通知手段、
を有する情報処理装置。
【請求項７】
請求項１に記載された情報処理装置において、
前記設定に従って特殊ページの印刷設定ファイルを生成してプリンタに転送する転送手段を有する情報処理装置。
【請求項８】
請求項１ないし７のいずれかに記載された情報処理装置と、プリンタ制御装置と、プリンタを備えた印刷システム。
【請求項９】
情報処理装置における、表紙、挿入ページ、例外ページを含む特殊ページの印刷設定をするページ設定工程と、
表紙の印刷設定における、印刷面の設定に応じて、ジョブのページの割り当てをするジョブ割当工程と、
表紙の印刷設定と、他の特殊ページの設定における、設定するページ範囲の重複を判断する重複判断工程と、
前記重複判断工程で重複と判断されたとき、設定するページ範囲が重複しないように、既存の特殊ページの印刷面の設定とページ範囲の設定を変更する設定変更工程と、
を有する情報処理方法。
【請求項１０】
コンピュータに請求項９に記載された情報処理方法における、各工程を実行させるためのプログラム。
【発明の詳細な説明】
【技術分野】
【０００１】
本発明は、情報処理装置、情報処理装置を備えた印刷システム、情報処理方法及びプログラムに関する。
【背景技術】
【０００２】
プロダクションプリンティング業界は、印刷出力そのものが製品となる場合が多い。このため、プロダクション向けのプリンタでは、従来のオフィス印刷のような簡易な印刷物ではなく、ページ毎に印刷メディアタイプや印刷設定が異なるような高付加価値の印刷物を出力することが望まれている。このようなページごとの印刷設定の実現を可能とする技術として、特殊ページと呼ばれる機能が知られている。
【０００３】
ここで、特殊ページ機能としては、表紙（おもて表紙・うら表紙）、挿入ページ、例外ページ機能がある。
表紙機能は、ジョブの先頭のページと末尾ページにおもて表紙うら表紙という形でページを配置する機能である。
挿入ページ機能は、ジョブとは異なるページを、ジョブの指定した場所に新たに挿入することができる機能である。
例外ページ機能は、ジョブとは異なる印刷設定を、指定ページ範囲に適用することができる機能である。指定ページ範囲は開始ページと終了ページを指定することで設定することができる。例外ページは、以下の設定（用紙設定、後処理設定、カラー／モノクロ設定など）をジョブとは異なる設定値で設定することができる。
【０００４】
表紙については、印刷するか印刷しないかの設定ができる。印刷する場合には、印刷面（両面／片面）が設定可能である。印刷しない場合は、印字しないで出力する。おもて表紙に両面印刷を設定した場合、表紙のおもて面にジョブの１ページ目、表紙のうら面にジョブの２ページ目が割り当てられる。また、片面印刷の設定をして、片面（おもて面）を設定した場合には、表紙のおもて面にジョブの１ページ目が割り当てられる。片面（うら面）を設定した場合には、表紙のうら面にジョブの２ページ目が割り当てられる。
【０００５】
ところで、従来の特殊ページ機能のインタフェースでは、表紙に印刷する設定（両面／片面）をした状態で、その表紙に割り当てたページ範囲と同じページ範囲を指定して、例外ページ（または挿入ページ）を同時に設定（または登録）することが可能であった。そのため、表紙と例外ページ（または挿入ページ）で重複したページ範囲の定義ができてしまい、結果として、設定と異なる印刷結果になるという問題があった。
【０００６】
図２３は、従来の印刷装置のプリンタドライバによる印刷設定のための具体例を示す画面であり、ここでは、予め、おもて表紙（両面に印刷（＝１−２ページ））が設定されている様子を示した図である。
図２４は、図２３の画面で「例外の追加」ボタンを操作したときに現れる画面であって、「例外の追加」の設定を行う画面を表す図である。ここで、例外ページ（２ページ）を設定し、図２３のプリンタドライバに追加を行う。図２５は、図２３と同様の画面であり、２ページ目は予め設定されているおもて表紙と重複したものとなることを示す図である。
【０００７】
前記従来の印刷装置のプリンタドライバには、ページ毎の印刷設定を実現する目的で、特殊ページ（表紙、挿入ページ、例外ページ）と呼ばれる、ジョブとは異なる設定を指定ページ範囲に設定することができる機能が実装されている。また設定した例外ページをリスト表示する一覧表示機能が実装されている。
【０００８】
この従来の印刷装置は、例外ページの設定が行われ、例外ページの設定を一覧表示する点では、以下で説明する本発明と類似する点がある。しかし、この印刷装置では、印刷する設定（両面／片面）をした表紙と、その表紙に割り当てたページ範囲と同じページ範囲を指定した例外ページ（または挿入ページ）を同時に設定可能である。そのため、表紙と例外ページ（または挿入ページ）に重複したページ範囲の定義ができてしまい、設定と異なる印刷結果となるという問題は解消されない。
【発明の概要】
【発明が解決しようとする課題】
【０００９】
本発明は、印刷する設定（両面／片面）をした表紙と、その表紙に割り当てられたページ範囲と同じページ範囲を指定した例外ページ（または挿入ページ）を同時に設定しようとした場合に、設定と異なる印刷結果となることを防ぐことを目的とする。
【課題を解決するための手段】
【００１０】
表紙、挿入ページ、例外ページを含む特殊ページの印刷設定をするページ設定手段と、表紙の印刷設定における印刷面の設定に応じて、ジョブのページの割り当てをするジョブ割当手段と、表紙の印刷設定と、他の特殊ページの印刷設定における、設定するページ範囲の重複を判断する重複判断手段と、前記重複判断手段が重複と判断したとき、設定するページ範囲が重複しないように、既存の特殊ページの印刷面の設定とページ範囲の設定を変更する設定変更手段と、を有する情報処理装置である。
【発明の効果】
【００１１】
本発明によれば、印刷する設定（両面／片面）をした表紙と、その表紙に割り当てられたページ範囲と同じページ範囲を指定した例外ページ（または挿入ページ）を同時に設定しようとした場合に、設定と異なる印刷結果となることを防ぐことができる。
【図面の簡単な説明】
【００１２】
【図１】本発明の実施形態の印刷システムを示す図である。
【図２】本発明の実施形態のクライアントＰＣの機能ブロック図である。
【図３】クライアントＰＣに接続されるＤＦＥコントローラの機能ブロック図である。
【図４】クライアントＰＣのユーザインタフェース（ＧＵＩ）で表示される項目別設定における、特殊ページメニューおよび特殊ページリストの一例を示す図である。
【図５】表紙の設定ダイアログの一例を示す図である。
【図６】挿入ページの設定ダイアログの一例を示す図である。
【図７】例外ページの設定ダイアログの一例を示す図である。
【図８】クライアントＰＣのプリンタドライバが実行するアルゴリズムによる、表１（ケース１）、（ケース２）の処理の前提となる処理手順を示すフロー図である。
【図９】おもて表紙（両面）が設定されているところに、例外ページを追加する際の処理、つまり、表１の（ケース１）のときに、プリンタドライバが行う処理の手順を示すフロー図である。
【図１０】おもて表紙（両面）が設定されているところに、例外ページ（例えばページ範囲“１−４”ページ）を追加する際の説明図である。
【図１１】おもて表紙に両面が設定されているところに、例外ページ（ページ範囲“２”ページ）を追加する場合を説明する図である。
【図１２】図９に示すおもて表紙の設定の手順における、プリンタドライバの内部処理手順を示すフロー図である。
【図１３】図１２に示すフローに対応した内部制御の処理手順を示すフロー図である。
【図１４】図８のステップＳ１０５の段階で、ユーザがジョブチケットの生成命令をした場合、ジョブチケット生成部が生成するジョブチケット（おもて表紙：両面）の一例である。
【図１５】図１３のステップＳ４０７を経て出力される例外ページ（ページ範囲“２”ページ）を追加したジョブチケット生成部が生成するジョブチケットの一例である。
【図１６】表１の（ケース２）のときに、つまり、おもて表紙（両面）が設定されているところに挿入ページを追加する際に、プリンタドライバが行う処理の手順を示すフロー図である。
【図１７】図１６のフロー図において“２ページの前”に挿入ページを追加した場合を示す図である。
【図１８】図８がおもて表紙設定のフローであるのに対し、これはうら表紙設定ための処理手順を示すフロー図である。
【図１９】表１の（ケース５）のとき、つまり、うら表紙（両面）が設定されているところに、例外ページを追加する際のプリンタドライバが行う処理の手順を示すフロー図である。
【図２０】特殊ページの追加時にページ範囲が重複する場合に、強制的に設定を変更するのではなく、ダイアログで設定変更することをユーザに通知する場合の処理手順を示すフロー図である。
【図２１】図２０のフローにおいて、ユーザに設定を変更する旨を通知するダイアログの一例である。
【図２２】図２０のフローにおいて、ユーザに通知するダイアログの一例、つまり、設定を変えるかどうかユーザに選択を促すダイアログである。
【図２３】従来の印刷装置のプリンタドライバによる印刷設定のための具体例を示す画面であり、予め、おもて表紙（両面に印刷（＝１−２ページ））が設定されている様子を示した図である。
【図２４】図２３の画面で例外の追加ボタンを操作したときに現れる画面であって、例外の追加の設定を行う画面を表す図である。
【図２５】図２３と同様の画面であり、２ページ目は予め設定されているおもて表紙と重複したものとなることを示す図である。
【図２６】クライアントＰＣの各処理手段を示すブロック図である。
【発明を実施するための形態】
【００１３】
本発明は、特殊ページを含めた印刷設定の処理に際して、以下の特徴を有する。
即ち、表紙と例外ページ（または挿入ページ）のページ範囲の重複を自動で回避するようなアルゴリズムを設けることによって、設定と異なる出力をさせないようにできる。
【００１４】
次に、本発明の実施形態について図面を参照して説明する。
（印刷システム構成）
図１は、本発明の実施形態の印刷システムを示す図である。
本印刷システムは、プリンタ１と、ＤＦＥコントローラ（プリンタ制御装置；Digital Front End）３と、情報処理装置であるクライアントＰＣ（Personal Computer）２とから構成されている。
ここで、クライアントＰＣ２はネットワーク４を介して、ＤＦＥコントローラ３及びプリンタ１に接続されている。
ユーザは、クライアントＰＣ２によって、印刷設定を行い、印刷設定ファイルであるジョブチケットを、ネットワーク４を介してＤＦＥコントローラ３に転送して印刷命令を出す。ＤＦＥコントローラ３は、受け取ったジョブチケットを解釈し、プリンタ１に印刷命令を出す。
【００１５】
図２は、本発明の実施形態のクライアントＰＣ２の機能ブロック図である。
アプリケーションは、文書作成ソフトなどである。ユーザインタフェース（ＧＵＩ;Graphical User Interface）２１は、アプリケーションから立ち上げる印刷設定を行う。
プリンタドライバのプレビュー表示部２２は、印刷設定の簡易プレビューを表示する。データ保存部２３は、ユーザインタフェース２１を介してユーザの指定した印刷設定を保存する。ジョブチケット生成部２４は、データ保存部２３の設定を反映したジョブチケットを作成する。描画部２５は、プリンタ１が解釈できるＰＤＬ（Page Descript Language）データを作成する。ポートモニタのデータ転送部２６は、作成したＰＤＬデータ及びジョブチケット（全工程における作業指示書）をＤＦＥコントローラ３に転送する。
ここで、ジョブチケット生成部２４及びデータ転送部２６は、本発明の転送手段を構成する。
【００１６】
図３は、クライアントＰＣ２に接続されるＤＦＥコントローラ３の機能ブロック図である。
データ取得部３１は、クライアントＰＣ２より転送された印刷データを受け取る。ジョブ表示部３４は、取得した印刷データをジョブとして表示するユーザインタフェースである。チケット解析部３３は、受け取ったジョブチケットの内容を解析し、印刷設定を読み込む。プレビュー表示部３２は、解析した印刷設定とＰＤＬデータを基に印刷のプレビューを表示する。データ転送部３５は、印刷データをプリンタ（本体）１に転送する。
【００１７】
図４は、クライアントＰＣ２のユーザインタフェース（ＧＵＩ）２１で表示される項目別設定における、特殊ページメニューおよび特殊ページリストの一例を示す図である。
ユーザは、特殊ページメニューの画面において、表紙、挿入ページ、例外ページの各特殊ページの設定を行う。
この画面で、「表紙／合紙」ボタンを押下することで、図５の「表紙／合紙」設定ダイアログが開く。同様に、「挿入ページ」ボタンを押下することで、図６の「挿入用紙設定」ダイアログが開く。さらに、「例外ページ」ボタンを押下することで、図７に示す「例外ページ設定」ダイアログが開く。設定した特殊ページはリストとして一覧表示される。
【００１８】
図５は、「表紙／合紙設定」ダイアログの一例を示す図である。
ユーザは、図５のダイアログにおいて、表紙として用いる用紙の給紙トレイ、用紙サイズ、坪量、用紙種類、また、印刷面を指定することができる。
表紙には、おもて表紙、うら表紙があり、それぞれについて、おもて面／うら面がある。また、おもて表紙、うら表紙のそれぞれに印刷（印字）するか否かの設定が可能である。
【００１９】
また、本実施形態において、表紙について、ジョブのページの割り当て（又は割り振り）については、以下の態様がある。
（１）おもて表紙・・・（i）両面印刷（＝１−２ページ）、（ii）片面（おもて面）印刷（＝１ページ）、（iii）片面（うら面）印刷（＝２ページ）、（iv）印刷なし（＝［ページなし］）。
（２）うら表紙・・・（i）両面印刷（＝Ｍ−Ｎページ）、（ii）片面（おもて面）印刷（＝Ｍページ）、（iii）片面（うら面）印刷（＝Ｎページ）、（iv）印刷なし（＝［ページなし］）。
なお、ここで“Ｍ”は最後のシートのおもて面、“Ｎ”は最後のシートのうら面である。
【００２０】
図６は、「挿入用紙設定」ダイアログの一例を示す図である。
ユーザは、図６のダイアログにおいて、挿入位置、挿入枚数、挿入ページに用いる用紙の給紙トレイ、用紙サイズ、坪量、用紙種類、またタブ紙として挿入する場合の印刷文字の設定等を行うことができる。
ページを挿入する位置は「ＸＸページの前／後」という形で指定可能である。
【００２１】
図７は、「例外ページ設定」ダイアログの一例を示す図である。
ユーザは、図７のダイアログにおいて、例外ページとして扱うページ範囲、新しい章を開始するか否かの選択、カラー／白黒、例外ページに用いる用紙の給紙トレイ、用紙サイズ、坪量、用紙種類、編集／後処理、印刷位置調整などを設定することができる。
以上は、本実施形態の基本的な構成と機能概要である。次に、本発明が解決しようとする、設定する特殊ページ同士が重複する場合について説明する。
【００２２】
【表１】
2014153853.tif 000003
【００２３】
表１は、設定する表紙とそれ以外の特殊ページが重複するケース一覧を示す。即ち、表１は、既に設定されている特殊ページに対し、新規に特殊ページを追加したとき重複となり得るケースを一覧化したものである。
以下、表１中の（ケース１）、（ケース２）、（ケース５）に関して、フロー図を用いて説明する。
ここで、（ケース１）は、おもて表紙が既に設定されている状態で、次に例外ページ（または挿入ページ）が設定されるというケースである。
そこで、まず、おもて表紙を設定する処理手順をフロー図８で説明し、次に、例外ページを設定する処理手順をフロー図９で説明する。
次に、（ケース２）の処理手順をフロー図８と図１６で説明する。
（ケース５）は、うら表紙が既に設定された状態で、次に例外ページが設定されるという順序である。うら表紙が設定される処理手順をフロー図１８で説明し、例外ページを設定する処理手順をフロー図１９で説明する。
【００２４】
図８は、クライアントＰＣ２のプリンタドライバが実行するアルゴリズムによる、表１（ケース１）、（ケース２）の処理の前提となる処理手順を示すフロー図（おもて表紙設定の手順を示すフロー図）である。
ここでは、まず、ユーザが特殊ページリストを表示する図４の特殊ページメニュー（「印刷設定」ダイアログ）を開く。次に、図４の画面中でユーザが「表紙／合紙」ボタンを押下して、図５に示す「表紙／合紙設定」ダイアログを開く（Ｓ１０１）。ここで、ユーザは、おもて表紙の設定のための指定を行って、図示しないＯＫボタンを押下する（Ｓ１０２）。
プリンタドライバは、おもて表紙に“印刷する”が設定されたか否かを判断する（Ｓ１０３）。ここで、“印刷する”が設定されたときは（Ｓ１０３、ＹＥＳ）、次に、印刷面として“両面”が設定されたか否か判断する（Ｓ１０４）。
“両面”が設定されているときは（Ｓ１０４、ＹＥＳ）、図５に示す「表紙／合紙設定」ダイアログを閉じ、特殊ページリスト（図４参照）に、おもて表紙について、ページ番号を“１−２”と表示する（Ｓ１０５）。
【００２５】
ステップＳ１０４において、“片面設定（おもて面）”が設定されていれば（Ｓ１０４、ＮＯ）、印刷面として“片面（おもて面）”が設定されているか否か判断し（Ｓ１０６）、“片面（おもて面）”であれば（Ｓ１０６、ＹＥＳ）、図５に示す「表紙／合紙設定」ダイアログを閉じ、特殊ページリスト（図４参照）におもて表紙について、ページ番号を“１”と表示する（Ｓ１０７）。
ステップＳ１０６において、“片面設定（うら面）”であれば（Ｓ１０６、ＮＯ）、同様に図５に示す「表紙／合紙設定」ダイアログを閉じ、特殊ページリスト（図４参照）に、おもて表紙についてページ番号“２”を表示する（Ｓ１０８）。
【００２６】
ステップＳ１０３において、おもて表紙に印刷しない、の設定と判断したときは（Ｓ１０３、ＮＯ）、図５に示す「表紙／合紙設定」ダイアログを閉じ、特殊ページリスト（図４参照）におもて表紙を、ページ番号がない状態で表示する（Ｓ１０９）。
このように、図８のフロー図において、おもて表紙の追加の際に、ユーザが印刷面の設定を、“両面設定”、“片面設定”、“印刷しない”から選択し、プリンタドライバはユーザの選択に応じて表紙の番号の振り方を前記のように変更している。
図８の処理フロー（“両面設定”、“片面設定”、“印刷しない”）に続く処理方法については、各ケース毎に、それぞれのフロー図に続く。
【００２７】
図９は、おもて表紙（両面）が設定されているところに、例外ページを追加する際の処理、つまり、表１の（ケース１）のときに、プリンタドライバが行う処理の手順を示すフロー図である。
即ち、この処理は、図８の（Ａ）からスタートする。ここで、ユーザは「例外ページ設定」ダイアログを開き、例外ページを設定する（Ｓ２０１、図７参照）。
プリンタドライバは、例外ページのページ範囲に“１”ページが含まれるか否か判断する（Ｓ２０２）。ここで、“１”ページが含まれる場合は（Ｓ２０２、ＹＥＳ）、例外ページのページ範囲が“１”ページのみか否か判断する（Ｓ２０３）。例外ページのページ範囲が“１”ページのみのときは（Ｓ２０３、ＹＥＳ）、図７の「例外ページ設定」ダイアログを閉じ、特殊ページリスト（図４参照）のおもて表紙への印刷を“片面（うら面）”に変更して、ページ番号を“２”に変更して表示する（Ｓ２０４）。
【００２８】
ステップＳ２０３において、例外ページのページ範囲が“１”ページのみでないときは（Ｓ２０３、ＮＯ）、図７の「例外ページ設定」ダイアログを閉じ、特殊ページリスト（図４参照）におけるおもて表紙への印刷を“なし”に変更し、ページ番号をない状態に変更して表示する（Ｓ２０５）。
ステップＳ２０２において、例外ページのページ範囲に“１”ページが含まれていないときは（Ｓ２０２、ＮＯ）、次に、例外ページのページ範囲に“２”ページが含まれるか否か判断する（Ｓ２０６）。ここで、例外ページのページ範囲に“２”ページが含まれるときは（Ｓ２０６、ＹＥＳ）、図７の例外ページ設定ダイアログを閉じ、特殊ページリスト（図４参照）における表示を、おもて表紙の印刷を“片面（おもて面）”に、またページ番号を“１”ページに変更し、その状態を表示する（Ｓ２０７）。
【００２９】
ステップＳ２０６で、例外ページのページ範囲に“２”ページが含まれていないときは（Ｓ２０６、ＮＯ）、図７の例外ページ設定ダイアログを閉じ、特殊ページリスト（図４参照）におもて表紙の設定はもとのまま、“両面”、“１−２”ページを表示する（Ｓ２０８）。
ステップＳ２０４、Ｓ２０５、Ｓ２０７、Ｓ２０８の処理の後は、いずれの場合も、次に、特殊ページリスト（図４参照）に例外ページで指定した範囲を表示する（Ｓ２０９）。最後にユーザが印刷を実行する（Ｓ２１０）。
【００３０】
以上をまとめると、おもて表紙（両面（印刷））が設定されているところに、
（１）例外ページを、“１”ページ目を含む範囲で設定した場合、既存のおもて表紙の設定を“両面”→“印刷しない”に変更し、また、ページ範囲を“１−２”ページ→“（ページの割り当てなし）”に変更する。
（２）例外ページを、“１”ページ目のみで設定した場合、既存のおもて表紙の設定を“両面→片面（うら面）”に変更し、ページ範囲を“１−２”→“２”ページに変更する。
（３）例外ページを“２”ページ目を含む範囲で設定した場合、既存のおもて表紙の設定を“両面→片面（おもて面）”に変更し、ページ範囲を“１−２”→“１”ページに変更する。
【００３１】
図１０は、以上で説明した、おもて表紙（両面）が設定されているところに、例外ページ（例えばページ範囲“１−４”ページ）を追加する際の説明図である。
図１０は、図９に示すフロー図において、ページ範囲に“１”ページ目を含む例外ページを追加した場合を説明する図である。
図１０Ａは、先におもて表紙の両面を印刷面として設定した状態を示している。
図１０Ｂは、その後に、１−４ページの範囲を例外ページとして指定したことを示し、図１０Ｃは、プリンタドライバが行う設定変更を示している。
即ち、おもて表紙に対しては、“印刷しない”の設定に変更し、“１−４”ページに例外ページを割り当てる設定に変更する。
【００３２】
図１１は、おもて表紙に両面が設定されているところに、例外ページ（ページ範囲“２”ページ）を追加する、即ち、図９に示す処理において、ページ範囲に“２”ページ目を含む例外ページを追加する場合を説明する図である。
図１１Ａは、図１０Ａと同じである。
図１１Ｂは、２ページ目を例外ページとして指定したことを示している。
図１１Ｃは、プリンタドライバが行う設定変更を示している。即ち、おもて表紙（印刷面  両面）が、おもて表紙（印刷面  片面（おもて面））の設定に変更される。つまり、表紙（うら面）に対しては、“印刷しない”の設定に変更し、代わりに例外ページを割り当てる設定に変更する。
【００３３】
図１２は、図９に示すおもて表紙の設定の手順における、プリンタドライバの内部処理手順を示すフロー図である。
なお、プロダクション印刷の分野で使用される、ジョブチケットやデバイス機能ファイルの構成などを定義する国際規格であるＪＤＦ（Job Definition Format）では、仕様として表紙という定義がない。そのため、内部処理としては、表紙を例外ページまたは挿入ページとして扱う必要がある。
そこで、本実施形態では、表紙に印刷しない場合は挿入ページとして扱い、表紙に印刷（片面／両面印刷）する場合は、例外ページとして扱うこととする。
【００３４】
即ち、図１２において、まず、ユーザインタフェース２１は、特殊ページメニューの画面を表示しているものとする（図４参照）。次に、ユーザインタフェース２１は、表紙設定ダイアログを表示する（Ｓ３０１、図５参照）。プリンタドライバは、ユーザが設定した情報を読み取り（Ｓ３０２）、おもて表紙に“印刷する”の設定がなされているか否か判断する（Ｓ３０３）。おもて表紙に“印刷する”の設定がなされているときは（Ｓ３０３、ＹＥＳ）、次に、印刷面として“両面”が設定されているか否か判断する（Ｓ３０４）。ここで、“両面”が設定されていれば（Ｓ３０４、ＹＥＳ）、プリンタドライバは、おもて表紙にジョブの“１−２”ページを割り当て、おもて表紙を“例外ページ”としてデータ保存部２３に保存する（Ｓ３０５）。
【００３５】
ステップＳ３０４において、“両面”が設定されておらず、片面設定であるときは（Ｓ３０４、ＮＯ）、印刷面として“片面（おもて面）”が設定されているか否か判断する（Ｓ３０６）。ここで、片面（おもて面）が設定されていれば（Ｓ３０６、ＹＥＳ）、プリンタドライバは、おもて表紙にジョブの“１”ページ目を割り当て、おもて表紙を“例外ページ”としてデータ保存部２３に保存する（Ｓ３０７）。
ステップＳ３０６において、“片面（おもて面）”が設定されておらず、片面（うら面）が設定されているときは（Ｓ３０６、ＮＯ）、プリンタドライバは、おもて表紙（うら面）にジョブの“２”ページ目を割り当て、おもて表紙を“例外ページ”として、データ保存部２３に保存する（Ｓ３０８）。
【００３６】
ステップＳ３０３で、おもて表紙に“印刷する”の設定がなされていないときは（Ｓ３０３、ＮＯ）、プリンタドライバは、おもて表紙にジョブのページを割り当てず、おもて表紙を“挿入ページ”としてデータ保存部２３に保存する。
【００３７】
図１３Ａ、Ｂは、図１２のフローに対応した内部制御の処理手順を示すフロー図である。
図１３Ａのフローは、図８の（Ａ）に続く。
図１３Ａにおいて、図８の（Ａ）に続き、ユーザインタフェース２１が“例外ページ”設定ダイアログ（図７参照）を開き、例外ページの設定情報を読み取る（Ｓ４０１）。次に、例外ページのページ範囲に“１”ページが含まれるか否か判断する（Ｓ４０２）。ここで、“１”ページが含まれているときは（Ｓ４０２、ＹＥＳ）、例外ページのページ範囲が“１”ページのみか否かについて判断する（Ｓ４０３）。例外ページのページ範囲が“１”ページのみであるときは（Ｓ４０３、ＹＥＳ）、プリンタドライバは、おもて表紙のページ“１”のジョブの割り当てを解除し、おもて表紙を“片面（うら面）”に変更してデータ保存部２３に保存する（Ｓ４０４）（その後は、ステップＳ２０９へ続く）。
【００３８】
ステップＳ４０３において、例外ページのページ範囲が“１”ページのみでないときは（Ｓ４０３、ＮＯ）、プリンタドライバは、おもて表紙のページ“１−２”の割り当てを解除して、おもて表紙を“印刷なし”に変更し、データ保存部２３に保存する（Ｓ４０５）（その後は、ステップＳ２０９へ続く）。
ステップＳ４０２で、例外ページのページ範囲に“１”ページが含まれないときは（Ｓ４０２、ＮＯ）、例外ページのページ範囲に“２”ページが含まれるか否か判断する（Ｓ４０６）。ここで、“２”ページが含まれていれば（Ｓ４０６、ＹＥＳ）、プリンタドライバは、おもて表紙のページ“２”のジョブの割り当てを解除し、おもて表紙を“片面（おもて面）”に変更し、データ保存部２３に保存する（Ｓ４０７）（その後は、ステップＳ２０９へ続く）。
【００３９】
ステップＳ４０６で、“２”ページが含まれていなければ（Ｓ４０６、ＮＯ）、プリンタドライバは、おもて表紙の設定を変えず、“１−２”ページで“両面印刷”のままにする（Ｓ４０８）（その後は、ステップＳ２０９へ続く）。
【００４０】
図１３Ｂにおいて、プリンタドライバは指定された例外ページをデータ保存部２３に保存する（Ｓ５０１）。次に、データ保存部２３で記録している設定を基に、ジョブチケット生成部（ＪＴＧ部）２４がジョブチケットを生成する（Ｓ５０２、図１５参照）。次に、描画部２５は、ジョブのＰＤＬデータを生成する（Ｓ５０３）。データ転送部２６は、生成したジョブチケットとＰＤＬデータをＤＦＥコントローラ３に転送する（Ｓ５０４）。
なお、ステップＳ５０２で、ジョブチケット生成部２４で作成したジョブチケットに代えて、別途作成された印刷設定チケットファイル（ジョブチケットファイル）を取り込んでもよい。また、後述する設定変更手段により取り込んだ特殊ページの印刷設定を変更（更新）するようにしてもよい。
【００４１】
図１４は、図８のステップＳ１０５で、ユーザがジョブチケットの生成命令をした場合、ジョブチケット生成部２４が生成するジョブチケット（おもて表紙：両面）の一例である。
図１５は、図１３のステップＳ４０７を経て出力される例外ページ（ページ範囲“２”ページ）を追加したジョブチケット生成部２４が生成するジョブチケットの一例である。
【００４２】
図１６は、表１の（ケース２）のときに、つまり、おもて表紙（両面）が設定されているところに挿入ページを追加する際に、プリンタドライバが行う処理の手順を示すフロー図である。
図８の（Ａ）に続き、ユーザが挿入ページを設定する（Ｓ６０１、図６参照）。次に、挿入ページの挿入位置（ページ範囲）が、“１ページの後”または“２ページの前”か否か判断する（Ｓ６０２）。ここで、挿入位置が“１ページの後”または“２ページの前”でなければ（Ｓ６０２、ＮＯ）、表紙の設定は変わらず“１−２”として表示され、挿入ページが指定のページ範囲で表示される（Ｓ６０３）。挿入位置が“１ページの後”または“２ページの前”であれば（Ｓ６０２、ＹＥＳ）、おもて表紙のページ番号が“１”として表示され、さらに印刷面の片面“（おもて面）”と表示される（Ｓ６０４）。
【００４３】
図１７は、図１６のフロー図において“２ページの前”に挿入ページを追加した場合を示す図である。
即ち、図１７Ａは、おもて表紙に印刷面を両面とする設定がなされていることを示す図である。
図１７Ｂは、その設定の後に、“２ページの前”に挿入ページを追加する設定を行ったことを示す図である。
図１７Ｃは、その場合のプリンタドライバが行う設定変更を示している。即ち、プリンタドライバは、おもて表紙の印刷面をおもて面の片面に設定を変更し、おもて面のうら面を印刷なし（ブランク）にして、挿入ページを追加する設定に変更する。
【００４４】
図１８は、図８がおもて表紙設定のフローであるのに対し、これはうら表紙設定のための処理手順を示すフロー図である。つまり、表１の（ケース５）（ケース６）の前提となるフローである。
即ち、まずユーザは特殊ページを開き（図４参照）、この処理を開始する。
ユーザは図４の特殊ページの「表紙／合紙」ボタンを押下し、表紙設定ダイアログを開く（Ｓ７０１、図５参照）。次に、ユーザは、うら表紙の指定を行い、ＯＫを押す（Ｓ７０２）。
ここで、プリンタドライバは、うら表紙に“印刷する”が設定されたか否かを判断する（Ｓ７０３）。ここで、うら表紙に“印刷する”が設定されたときは（Ｓ７０３、ＹＥＳ）、さらに、印刷面として“両面”が設定されたか否かを判断する（Ｓ７０４）。ここで、印刷面として“両面”が設定されたと判断したときは（Ｓ７０４、ＹＥＳ）、表紙設定ダイアログを閉じ、特殊ページリスト（図４参照）に、うら表紙をページ番号“Ｍ−Ｎ”で表示する（Ｓ７０５）。
【００４５】
ステップＳ７０４で、印刷面として“両面”が設定されていない、つまり片面が設定されたときは（Ｓ７０４、ＮＯ）、次に、プリンタドライバは、印刷面として“片面（おもて面）”が設定されたか否かを判断する（Ｓ７０６）。ここで、“片面（おもて面）”が設定されたときは（Ｓ７０６、ＹＥＳ）、表紙設定ダイアログを閉じ、特殊ページリスト（図４参照）にうら表紙を、ページ番号“Ｍ（最後のシートのおもて面）”で表示する（Ｓ７０７）。
ステップＳ７０６で、“片面（おもて面）”が設定されていない、即ち片面（うら面）が設定されているときは（Ｓ７０６、ＮＯ）、表紙設定ダイアログを閉じ、特殊ページリスト（図４参照）にうら表紙を、ページ番号“Ｎ（最後のシートの裏面）”で表示する（Ｓ７０８）。
【００４６】
ステップＳ７０３で、うら表紙に“印刷する”が設定されないとき、つまり“印刷しない”が設定されたときは（Ｓ７０３、ＮＯ）、表紙設定ダイアログを閉じ、特殊ページリスト（図４参照）にうら表紙を、ページ番号がない状態で表示する（Ｓ７０９）。
以上説明したように、このフローでは、ユーザが印刷面の設定を“両面設定”、“片面設定”、“印刷しない”から選択し、選択に応じて、うら表紙の番号の割り当て方を変更する。
本実施形態では、ページ番号は、ユーザがジョブの総ページ数を把握しておかなくてもよいように、“Ｍ（最後のシートのおもて面）”ページ、“Ｎ（最後のシートのうら面）”ページといった形で設定することができる。
【００４７】
図１９は、表１の（ケース５）のとき、つまり、うら表紙（両面）が設定されているところに、例外ページを追加する際のプリンタドライバが行う処理の手順を示すフロー図である。
即ち、このフローは、図１８の（Ｂ）に続くところからスタートする。
まず、ユーザが“例外ページ”設定ダイアログを開き、例外ページを設定する（Ｓ８０１、図７参照）。次に例外ページのページ範囲に“Ｎ”ページが含まれるか否か判断する（Ｓ８０２）。ここで、例外ページのページ範囲に“Ｎ”ページが含まれているときは（Ｓ８０２、ＹＥＳ）、更に、例外ページのページ範囲が“Ｎ”ページのみか否かを判断する（Ｓ８０３）。例外ページのページ範囲が“Ｎ”ページのみであるときは（Ｓ８０３、ＹＥＳ）、例外ページ設定ダイアログを閉じ、特殊ページリスト（図４参照）に、うら表紙への印刷を“片面（おもて面）”にし、ページ番号を“Ｍ”に変更して表示する（Ｓ８０４）。
【００４８】
ステップＳ８０３において、例外ページのページ範囲が“Ｎ”ページのみでないときは（Ｓ８０３、ＮＯ）、例外ページ設定ダイアログを閉じ、特殊ページリスト（図４参照）に、うら表紙への印刷を“なし”にし、ページ番号がない状態に変更して表示する（Ｓ８０５）。
ステップＳ８０２において、例外ページのページ範囲に“Ｎ”ページが含まれていないときは（Ｓ８０２、ＮＯ）、例外ページのページ範囲に“Ｍ”ページが含まれるか否かを判断する（Ｓ８０６）。ここで、“Ｍ”ページが含まれるときは（Ｓ８０６、ＹＥＳ）、例外ページ設定ダイアログを閉じ、特殊ページリスト（図４参照）に、うら表紙の印刷を“片面（うら面）”にし、ページ番号を“Ｎ”に変更して表示する（Ｓ８０７）。
【００４９】
“Ｍ”ページが含まれないときは（Ｓ８０６、ＮＯ）、例外ページ設定ダイアログを閉じ、特殊ページリスト（図４参照）に、うら表紙の設定はもとのままで、“両面”、“Ｍ−Ｎ”で表示する（Ｓ８０８）。
この処理は、以上で説明したように、おもて表紙に対するもの（図９、図１６参照）と同等であり、予めうら表紙に“両面設定”（Ｍ−Ｎページ）が設定されているところに、例外ページを“Ｎ”ページ目を含む範囲で設定した場合、既存のおもて表紙の設定を“両面印刷”→“印刷しない”に変更し、ページ範囲を“Ｍ−Ｎ”ページ→“ページの割り当てなし”に変更する。
【００５０】
例外ページを“Ｎ”ページ目のみに設定した場合、既存のおもて表紙の設定を両面→片面（おもて面）に変更し、ページ範囲を“Ｍ−Ｎ”→“Ｍ”ページに変更する。
例外ページを“Ｍ”ページ目を含む範囲に設定した場合、既存のおもて表紙の設定を両面→片面（うら面）に変更し、ページ範囲を“Ｍ−Ｎ”→“Ｎ”ページに変更する。
また、挿入ページを設定するときの動作（表１の（ケース６））も、おもて表紙に対するものと同等である。例えば、挿入ページの挿入位置を“Ｎ”ページの前か“Ｍ”ページの後で設定した場合、既存のおもて表紙の設定を両面→片面（うら面）に変更し、ページ範囲を“Ｍ−Ｎ”→“Ｎ”ページに変更する。
【００５１】
以上で説明した実施形態では、ページが重複する場合に強制的に印刷面（両面／片面）とページ範囲の設定を変更している。しかし、強制的に設定変更せず、以下で説明するように、ユーザに設定変更を通知した上で処理するようにしてもよい。次に、その場合の処理について説明する。
【００５２】
図２０は、特殊ページの追加時にページ範囲が重複する場合に、強制的に設定を変更するのではなく、ダイアログで設定変更することをユーザに通知する場合の処理手順を示すフロー図である。
この処理手順（フロー）は、図８の（Ａ）からスタートする。
まず、ユーザが、以下のいずれかの特殊ページを設定しているとする（Ｓ９０１）。即ち、
（１）“例外ページ”でページ範囲に“１ページ目”を含む、（２）“例外ページ”でページ範囲に“２ページ目”を含む、（３）“挿入ページ”で挿入位置が２ページの前または１ページの後。
次に、プリンタドライバは、ユーザが予め設定されている表紙の設定を変更する旨通知する（Ｓ９０２；図２１または図２２参照）。ここで、ユーザが設定変更を許可したか否かで処理が分かれる（Ｓ９０３）。即ち、ユーザが設定変更を許可したときは（Ｓ９０３、ＹＥＳ）、おもて表紙の設定を変更して表示する（Ｓ９０４）。次に、特殊ページ（例外ページまたは挿入ページ）を指定のページ範囲で表示する（Ｓ９０５）。
【００５３】
ステップＳ９０３でユーザが設定変更を許可しないときは（Ｓ９０３、ＮＯ）、おもて表紙の設定は変更せず、ページ番号をそのまま“１−２”ページとし、“両面”設定のまま表示する。また、特殊ページ（例外ページまたは挿入ページ）の追加を中止する（Ｓ９０６）。
【００５４】
図２１は、図２０のフローにおいて、ユーザに設定を変更する旨を通知するダイアログの一例である。
図２２も、図２０のフローにおいて、ユーザに通知するダイアログの一例、つまり、設定を変えるかどうかユーザに選択を促すダイアログである。
図２２は、ページ範囲が重複する場合に強制的に設定を変更するか、ダイアログを示して変更することを通知するか、を選択できるようにするためのダイアログの一例である。これは、図２１で示すダイアログが毎回表示されるのがユーザにとって煩わしい場合に、次回以降の処理を選択できるようにするものである。
【００５５】
以上の説明をケース１から８にまとめると以下のとおりである。
（１）ケース１  おもて表紙と例外ページが重なる場合
即ち、既におもて表紙が設定されている状態で、新しく例外ページを設定する場合で、かつ、おもて表紙と例外ページでページ範囲が重複する場合
例外ページはそのまま設定する。また、既存のおもて表紙は、例外ページと重複するページ範囲を取り除き、更に［印刷面：］の値を以下のように設定を変更する。
重複するページ範囲を取り除いた結果、
（i）残ったページ範囲が“ページ番号なし”→［印刷面：］の値を“なし”に変更する。
（ii）残ったページ範囲が“１”→［印刷面：］の値を“片面（おもて面）”に変更する。
（iii）残ったページ範囲が“２”→［印刷面：］の値を“片面（うら面）”に変更する。
（２）ケース２  おもて表紙と挿入ページが重なる場合
即ち、おもて表紙（印刷面：両面）を既に設定している状態で、新しく挿入ページ（１ページ目の後ろ、もしくは２ページ目の前）を設定した場合
挿入ページはそのまま設定する。既存のおもて表紙は、（印刷面：片面（おもて面））に変更して設定する。
（３）ケース３  例外ページとおもて表紙が重なる場合
即ち、既に例外ページを設定している状態で、新しくおもて表紙を設定する場合で、かつ、例外ページとおもて表紙でページ範囲が重複する場合
おもて表紙はそのまま設定する。既存の例外ページは、おもて表紙と重複するページ範囲を取り除いて設定する。
（４）ケース４  挿入ページとおもて表紙が重なる場合
即ち、既に挿入ページ（１ページ目の後ろ、もしくは２ページ目の前）を設定している状態で、新しくおもて表紙（印刷面：両面）を設定する場合
おもて表紙はそのまま設定する。既存の挿入ページは削除する。
（５）ケース５  うら表紙と例外ページが重なる場合
即ち、既にうら表紙を設定している状態で、新しく例外ページを設定する場合で、かつ、うら表紙と例外ページでページ範囲が重複する場合
例外ページはそのまま設定する。
既存のうら表紙は、例外ページと重複するページ範囲を取り除き、更に［印刷面：］の値を以下のように変更して設定する。
重複するページ範囲を取り除いた結果、
（i）残ったページ範囲が“ページ番号なし”→［印刷面：］の値を“なし”に変更する。
（ii）残ったページ範囲が“Ｎ”→［印刷面：］の値を“片面（うら面）”に変更する。
（iii）残ったページ範囲が“Ｍ”→［印刷面：］の値を“片面（おもて面）”に変更する。
（６）ケース６  うら表紙と挿入ページが重なる場合
即ち、うら表紙（印刷する）を既に設定している状態で、新しく挿入ページ（Ｍページ目の後ろ、もしくはＮページ目の前）を設定する場合
挿入ページはそのまま設定する。既存のうら表紙は、（印刷面：片面（うら面））に変更して設定する。
（７）ケース７  例外ページとうら表紙が重なる場合
即ち、既に例外ページを設定している状態で、新しくうら表紙を設定した場合で、かつ、例外ページとうら表紙でページ範囲が重複する場合
うら表紙はそのまま設定する。既存の例外ページは、うら表紙と重複するページ範囲を取り除いて設定する。
（８）ケース８  挿入ページとうら表紙が重なる場合
即ち、既に挿入ページ（Ｍページ目の後ろ、もしくはＮページ目の前）を設定している状態で、新しくうら表紙（印刷する）を設定した場合
うら表紙はそのまま設定する。既存の挿入ページは削除する。
【００５６】
以上、プリンタドライバの処理について説明したが、これらのプリンタドライバの処理は、具体的にはクライアントＰＣ（コンピュータ）にプログラム（プリンタドライバ）を読み取らせることで実現する処理手段（機能実現手段）で行う。この処理手段としては、図２６に示すように、(i)ページ設定手段２０１と、（ii）ジョブ割当手段２０２と、（iii）ページ通知手段２０３と、（iv）重複判断手段２０４と、（v）重複通知手段２０５と、（vi）設定変更手段と２０６、（vii）表示更新手段２０７と、（vii）選択通知手段２０８と、（viii）設定変更禁止手段２０９と、（ix）自動化通知手段２１０がある。
ここで、（i）ページ設定手段２０１は、表紙、挿入ページ、例外ページを含む特殊ページについて、ユーザによる各種印刷条件入力に基づき設定を行う。
（ii）ジョブ割当手段２０２は、表紙の印刷設定に際して、設定した印刷面に対してジョブのページの割り当てを行う。
（iii）ページ通知手段２０３は、前記ジョブ割当手段が、表紙の印刷面の設定に対してページの割り当てをする際に、ユーザに対し、印刷面の設定に応じて表紙に対してページが割り当てられる旨を通知する。
（iv）重複判断手段２０４は、表紙の印刷設定と、表紙以外の特殊ページの設定において、その設定するページ範囲が重複するか否かの判断を行う。
（v）重複通知手段２０５は、前記重複判断手段が重複と判断したとき、ユーザに対し、ページ範囲が重複する旨を通知する。
（vi）設定変更手段２０６は、重複判断手段が、表紙の印刷設定と、表紙以外の特殊ページの設定において、その設定するページ範囲が重複すると判断したときに、先に設定済みのページ範囲を、設定を行おうとするページ範囲に変更する処理を行う。
（vii）表示更新手段２０７は、特殊ページの重複に対し調整した内容に基づいて、ユーザインタフェース（ＧＵＩ）での表示内容を更新する処理を行う。
（viii）選択通知手段２０８は、重複判断手段が、表紙の印刷設定と、表紙以外の特殊ページの設定するページ範囲が重複すると判断したときに、ユーザに対して、前に設定した特殊ページの設定の変更を許可するかしないかの選択を促すメッセージを作成して、ユーザインタフェース（ＧＵＩ）に表示する処理を行う。
（ix）設定変更禁止手段２０９は、重複判断手段が、表紙の印刷設定と、表紙以外の特殊ページの設定するページ範囲が重複すると判断したときであって、ユーザが選択通知手段に応じて、ユーザインタフェース（ＧＵＩ）において、特殊ページの設定の変更を許可しない、を選択したときに、後からの特殊ページ追加をキャンセルし、既に設定されている特殊ページの設定を有効にする処理を行う。
（x）自動化通知手段２１０は、重複判断手段が、表紙の印刷設定と、表紙以外の特殊ページの設定するページ範囲が重複すると判断したときに、ユーザに対して、自動で設定を修正するか、選択通知手段を機能させるかを選択させるためのメッセージをユーザインタフェース（ＧＵＩ）に表示して、ユーザが自動を選択したことに応じて、設定変更手段を自動で動作させる処理を行う。
【００５７】
以上、本発明の実施形態について説明したが、改めてまとめると以下のとおりである。
即ち、本発明は、表紙、挿入ページ、例外ページを含む特殊ページの印刷設定をするページ設定手段と、表紙の印刷設定における印刷面の設定に応じて、ジョブのページの割り当てをするジョブ割当手段と、表紙の印刷設定と、他の特殊ページの印刷設定における、設定するページ範囲の重複を判断する重複判断手段と、前記重複判断手段が重複と判断したとき、設定するページ範囲が重複しないように、既存の特殊ページの印刷面の設定とページ範囲の設定を変更する設定変更手段と、を有することを特徴とする情報処理装置であるところ、その実施形態に係るジョブ割当手段及び設定変更手段は以下のとおりである。
（１）前記ジョブ割当手段は、おもて表紙の印刷面の設定が“両面”のとき、ジョブの“１ページ目から２ページ目”を割り当てる。
（２）前記ジョブ割当手段は、おもて表紙の印刷面の設定が“片面（おもて面）”のとき、ジョブの“１ページ目”を割り当てる。
（３）前記ジョブ割当手段は、おもて表紙の印刷面の設定が“片面（うら面）”のとき、ジョブの“２ページ目”を割り当てる。
（４）前記ジョブ割当手段は、うら表紙の印刷面の設定が“両面”のとき、ジョブの“最終ページの１つ前のページから最終ページ”を割り当てる。
（５）前記ジョブ割当手段は、うら表紙の印刷面の設定が“片面（おもて面）”のとき、ジョブの“最終ページの１つ前のページ”を割り当てる。
（６）前記ジョブ割当手段は、うら表紙の印刷面の設定が“片面（うら面）”とき、ジョブの“最終ページ”を割り当てる。
（７）前記（１）の場合において、おもて表紙（両面）が既に設定された上で、後から設定する例外ページのページ範囲が“１ページと２ページ目”を含んでいる両面設定であるときは、前記設定変更手段は、おもて表紙の設定を“印刷しない”に変更し、ジョブのページの割り当てを解除する。
（８）前記（１）の場合において、おもて表紙（両面）が既に設定された上で、後から設定する例外ページのページ範囲が“１ページ目”のみであるときは、前記設定変更手段は、おもて表紙の設定を“片面（うら面）”に変更し、ジョブのページの割り当てを“２ページ目”に変更する。
（９）前記（１）の場合において、おもて表紙（両面）が既に設定された上で、後から設定する例外ページのページ範囲が“２ページ目”を含む設定であるときは、前記設定変更手段は、おもて表紙の設定を“片面（おもて面）”に変更し、ジョブのページの割り当てを“１ページ目”に変更する。
（１０）前記（１）の場合において、おもて表紙（両面）が既に設定された上で、後から設定する挿入ページの挿入位置が“２ページ目の前”または“１ページ目の後”であるときは、前記設定変更手段は、おもて表紙の設定を“片面（おもて面）”に変更し、ジョブのページの割り当てを“１ページ目”に変更する。
（１１）前記（２）の場合において、おもて表紙（片面（おもて面））が既に設定された上で、例外ページのページ範囲が“１ページ目”を含んでいるときは、前記設定変更手段は、おもて表紙の設定を“印刷しない”に変更し、ジョブのページの割り当てを解除する。
（１２）前記（３）の場合において、おもて表紙（片面（うら面））が既に設定された上で、例外ページのページ範囲が“２ページ目”を含んでいるときは、前記設定変更手段は、おもて表紙の設定を“印刷しない”に変更し、ジョブのページの割り当てを解除する。
（１３）前記（３）の場合において、おもて表紙（片面（うら面））が既に設定された上で、後から設定する挿入ページの挿入位置が“２ページ目の前”または“１ページ目の後”であるときは、前記設定変更手段は、おもて表紙の設定を“印刷しない”に変更し、ジョブのページの割り当てを解除する。
（１４）前記（４）の場合において、うら表紙（両面）が既に設定された上で、後から設定する例外ページのページ範囲が“最終ページの１つ前のページと最終ページ”を含んでいるときは、前記設定変更手段は、うら表紙の設定を“印刷しない”に変更し、ジョブのページの割り当てを解除する。
（１５）前記（４）の場合において、うら表紙（両面）が既に設定された上で、後から設定する例外ページのページ範囲が“最終ページの１つ前のページ”を含む両面設定であるときは、前記設定変更手段は、うら表紙の設定を“片面（うら面）”に変更し、ジョブのページの割り当てを“最終ページ”に変更する。
（１６）前記（４）の場合において、うら表紙（両面）が既に設定された上で、後から設定する例外ページのページ範囲が“最終ページ”のみのときは、前記設定変更手段は、うら表紙の設定を“片面（おもて面）”に変更し、ジョブのページの割り当てを“最終ページ”に変更する。
（１７）前記（４）の場合において、うら表紙（両面）が既に設定された上で、後から設定する挿入ページの挿入位置が“最終ページの前”または“最終ページの１つ前のページの後”であるときは、前記設定変更手段は、うら表紙の設定を“片面（うら面）”に変更し、ジョブのページの割り当てを“最終ページ”に変更する。
（１８）前記（５）の場合において、うら表紙（片面（おもて面））が既に設定された上で、例外ページのページ範囲が“最終ページの１つ前のページ”を含んでいるときは、前記設定変更手段は、うら表紙の設定を“印刷しない”に変更し、ジョブのページの割り当てを解除する。
（１９）前記（６）の場合において、うら表紙（片面（うら面））が既に設定された上で、例外ページのページ範囲が“最終ページ”を含んでいるときは、前記設定変更手段は、うら表紙の設定を“印刷しない”に変更し、ジョブのページの割り当てを解除する。
（２０）前記（６）の場合において、おもて表紙（片面（うら面））が既に設定された上で、後から設定する挿入ページの挿入位置が“最終ページ目の前”または“最終ページの１つ前のページの後”であるときは、前記設定変更手段は、おもて表紙の設定を“印刷しない”に変更し、ジョブのページの割り当てを解除する。
（２１）前記（１）の場合において、例外ページのページ範囲が“１−２ページ目”を含む設定で既に設定された上で、後から設定するおもて表紙の設定が“両面”であるときは、前記設定変更手段は、例外ページへのジョブのページの割り当てを解除、すなわち例外ページを削除する。
（２２）前記（２）の場合において、例外ページのページ範囲が”１−２ページ目”を含む設定で既に設定された上で、後から設定するおもて表紙の設定が“片面（おもて面）”であるときは、前記設定変更手段は、例外ページへのジョブのページの割り当てを“２ページ目”に変更する。
（２３）前記（３）の場合において、例外ページのページ範囲が”１−２ページ目”を含む設定で既に設定された上で、後から設定するおもて表紙の設定が“片面（うら面）”であるときは、前記設定変更手段は、例外ページへのジョブのページの割り当てを“１ページ目”に変更する。
（２４）前記（２）の場合において、例外ページのページ範囲が“１ページ目”のみの設定で既に設定された上で、後から設定するおもて表紙の設定が“片面（おもて面）”であるときは、前記設定変更手段は、例外ページへのジョブのページの割り当てを解除、すなわち例外ページを削除する。
（２５）前記（３）の場合において、例外ページのページ範囲が“２ページ目”を含む設定で既に設定された上で、後から設定するおもて表紙の設定が“片面（うら面）”であるときは、前記設定変更手段は、例外ページへのジョブのページの割り当てを解除、すなわち例外ページを削除する。
（２６）前記（４）の場合において、例外ページのページ範囲が“最終ページの１つ前のページから最終ページ”を含む設定で既に設定された上で、後から設定するうら表紙の設定が“両面”であるときは、前記設定変更手段は、例外ページへのジョブのページの割り当てを解除、すなわち例外ページを削除する。
（２７）前記（５）の場合において、例外ページのページ範囲が“最終ページの１つ前のページから最終ページ”を含む設定で既に設定された上で、後から設定するうら表紙の設定が“片面（おもて面）”であるときは、前記設定変更手段は、例外ページへのジョブのページの割り当てを“最終ページ”に変更する。
（２８）前記（６）の場合において、例外ページのページ範囲が“最終ページの１つ前のページから最終ページ”を含む設定で既に設定された上で、後から設定するうら表紙の設定が“片面（うら面）”であるときは、前記設定変更手段は、例外ページへのジョブのページの割り当てを“最終ページの１つ前のページ”に変更する。
（２９）前記（５）の場合において、例外ページのページ範囲が“最終ページの１つ前のページ”を含む設定で既に設定された上で、後から設定するうら表紙の設定が“片面（おもて面）”であるときは、前記設定変更手段は、例外ページへのジョブのページの割り当てを解除、すなわち例外ページを削除する。
（３０）前記（６）の場合において、例外ページのページ範囲が“最終ページ”のみの設定で既に設定された上で、後から設定するうら表紙の設定が“片面（うら面）”であるときは、前記設定変更手段は、例外ページへのジョブのページの割り当てを解除、すなわち例外ページを削除する。
【符号の説明】
【００５８】
１・・・プリンタ、２・・・クライアントＰＣ、３・・・ＤＦＥコントローラ、４・・・ネットワーク、２１・・・ユーザインタフェース（ＧＵＩ）、２２・・・プレビュー表示部、２３・・・データ保存部、２４・・・ジョブチケット生成部、２５・・・描画部、２６・・・（クライアントＰＣの）データ転送部、３１・・・データ取得部、３２・・・プレビュー表示部、３３・・・チケット解析部、３４・・・ジョブ表示部、３５・・・（ＤＦＥの）データ転送部。
【先行技術文献】
【特許文献】
【００５９】
【特許文献１】特開２０１０−１３７４４９号公報
【図１】
2014153853.tif 000004
【図２】
2014153853.tif 000005
【図３】
2014153853.tif 000006
【図４】
2014153853.tif 000007
【図５】
2014153853.tif 000008
【図６】
2014153853.tif 000009
【図７】
2014153853.tif 000010
【図８】
2014153853.tif 000011
【図９】
2014153853.tif 000012
【図１０】
2014153853.tif 000013
【図１１】
2014153853.tif 000014
【図１２】
2014153853.tif 000015
【図１３】
2014153853.tif 000016
【図１４】
2014153853.tif 000017
【図１５】
2014153853.tif 000018
【図１６】
2014153853.tif 000019
【図１７】
2014153853.tif 000020
【図１８】
2014153853.tif 000021
【図１９】
2014153853.tif 000022
【図２０】
2014153853.tif 000023
【図２１】
2014153853.tif 000024
【図２２】
2014153853.tif 000025
【図２３】
2014153853.tif 000026
【図２４】
2014153853.tif 000027
【図２５】
2014153853.tif 000028
【図２６】
2014153853.tif 000029